(57)【特許請求の範囲】
【請求項１】
光ファイバ伝送を実現するＰＯＮ（Passive Optical Network）システムに適用されるＯＬＴ（Optical Line Terminal）であって、
ＧＰＳ信号受信装置を有するマスターＯＮＵ（Optical Network Unit）（40-1）から送信された信号を前記マスターＯＮＵ（40-1）以外のＯＮＵであるスレイブＯＮＵ（40-2…40-n）へ折り返し転送したときの第１のＲＴＴ（Round-Trip Time）と、前記スレイブＯＮＵ（40-2…40-n）から送信された信号を前記マスターＯＮＵ（40-1）へ折り返し転送したときの第２のＲＴＴとの差分をＲＴＴ差分として計算する制御部と、
前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する帯域割当部と、を備えることを特徴とするＯＬＴ。
【請求項２】
前記スレイブＯＮＵ（40-2…40-n）を初期登録する際に取得した自装置と前記スレイブＯＮＵ（40-2…40-n）との距離を示す情報、固定タイムスロットで伝送された信号の上り遅延時間および下り遅延時間を示す情報を含むテーブルを更に備えることを特徴とする請求項１記載のＯＬＴ。
【請求項３】
前記制御部は、前記テーブルの上りの遅延時間および下りの遅延時間を示す情報に基づいて、前記第１および第２のＲＴＴ、並びに前記ＲＴＴ差分を計算することを特徴とする請求項２記載のＯＬＴ。
【請求項４】
前記制御部は、前記テーブルの距離を示す情報、上り伝送で用いられる光の波長および下り伝送で用いられる光の波長に基づいて、前記第１および第２のＲＴＴ、並びに前記ＲＴＴ差分を計算することを特徴とする請求項２記載のＯＬＴ。
【請求項５】
ＯＬＴ（Optical Line Terminal）および複数のＯＮＵ（Optical Network Unit）が、光分岐器を介して接続され、光ファイバ伝送を実現するＰＯＮ（Passive Optical Network）システムであって、
前記ＯＬＴ（10）は、
ＧＰＳ信号受信装置を有するマスターＯＮＵ（Optical Network Unit）（40-1）から送信された信号を前記マスターＯＮＵ（40-1）以外のＯＮＵであるスレイブＯＮＵ（40-2…40-n）へ折り返し転送したときの第１のＲＴＴ（Round-Trip Time）と、前記スレイブＯＮＵ（40-2…40-n）から送信された信号を前記マスターＯＮＵ（40-1）へ折り返し転送したときの第２のＲＴＴとの差分をＲＴＴ差分として計算する制御部と、
前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する帯域割当部と、を備え、
前記小さい方のＲＴＴを測定したときの送信側のＯＮＵは、前記ＯＬＴから設定された送信待ち時間が経過した後で、信号の送信を行なうことを特徴とするＰＯＮシステム。
【請求項６】
光ファイバ伝送を実現するＰＯＮ（Passive Optical Network）システムに適用されるＯＬＴ（Optical Line Terminal）のプログラムであって、
ＧＰＳ信号受信装置を有するマスターＯＮＵ（Optical Network Unit）（40-1）から送信された信号を前記マスターＯＮＵ（40-1）以外のＯＮＵであるスレイブＯＮＵ（40-2…40-n）へ折り返し転送したときの第１のＲＴＴ（Round-Trip Time）と、前記スレイブＯＮＵ（40-2…40-n）から送信された信号を前記マスターＯＮＵ（40-1）へ折り返し転送したときの第２のＲＴＴとの差分をＲＴＴ差分として計算する処理と、
前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する処理と、の一連の処理をコンピュータに実行させることを特徴とするプログラム。
【発明の詳細な説明】
【技術分野】
【０００１】
本発明は、光ファイバ伝送を実現する技術に関し、特に、ＯＬＴ（Optical Line Terminal）、ＰＯＮ（Passive Optical Network）システムおよびプログラムに関する。
【背景技術】
【０００２】
近年、移動通信網が提供する無線アクセスネットワークの高速化に伴って、基地局装置がカバーする領域（セル）が狭くなり、その結果、移動通信網を構成するために設置すべき基地局装置数が増大している。このため、複数の基地局装置を収容するためのネットワークとして、１本の光伝送路を複数の加入者で共有する受動光網（PON：Passive Optical Network）システムが検討されている。
【０００３】
ＰＯＮシステムでは、通信事業者の局に設置された１つの光伝送路終端装置（OLT：Optical Line Terminal）が光分岐器を介して複数の加入者側宅内端末（ONU：Optical Network Unit）と接続されている。ＯＬＴは、複数のＯＮＵ、例えば、６４台のＯＮＵに対して時分割多重方式により動的に上り帯域を割り当てることで、高い帯域の利用効率を実現している。
【０００４】
ＰＯＮシステムにおいて、複数の基地局装置を収容する場合、基地局装置間の周波数および時刻同期が必須となる。従来は、基準時刻情報を受信するために各基地局装置にＧＰＳ（Global Positioning System）アンテナを設置することが一般的であった。しかし、基地局装置における設置環境等の制約により、ＧＰＳアンテナが設置できない場合があった。
【０００５】
そこで、ＯＬＴ配下にある一台のＯＮＵでＧＰＳ信号を取得し、時刻情報を当該ＯＮＵからＯＬＴ側に提供して、ＯＬＴを介して他の全ＯＮＵに配信するというループバック方式をとれば、ＧＰＳアンテナが設置できない場合にも柔軟に対応できる。ＧＰＳ信号は、非特許文献１に記載されるＩＥＥＥ１５８８ｖ２のＰＴＰ（Precision Time Protocol）のようなパケットを用いてＰＯＮ区間を伝送する構成が考えられる。
【先行技術文献】
【特許文献】
【０００６】
【特許文献１】特開２０１４−１６５５５７号公報
【非特許文献】
【０００７】
【非特許文献１】IEEE Std 1588-2008, “IEEE Standard for a Precision Clock Synchronization Protocol for Network Measurement and Control Systems,”2008.
【発明の概要】
【発明が解決しようとする課題】
【０００８】
しかしながら、非特許文献１に記載の技術では、基準時刻を提供するマスター装置と、当該マスター装置の時刻に従属同期するスレイブ装置との上下伝送遅延が同じであることを前提として動作する。そのため、伝送遅延が上下非対称であるＰＯＮシステムにＩＥＥＥ１５８８ｖ２を適用した場合、時刻同期精度が劣化する課題がある。
【０００９】
特許文献１には、上りおよび下りの伝送遅延が非対称であることを考慮して、ＯＬＴでＰＴＰパケットを識別し、下りＰＴＰパケットに遅延を付加することによって、上りおよび下りの伝送遅延を対称化する技術が開示されている。しかし、この方式では、ＰＴＰパケットを識別する機能と、遅延を付加する機能とを備える特別なＯＬＴを構成する必要があるため、既存のシステムに適用することは不可能である。
【００１０】
本発明は、このような事情に鑑みてなされたものであり、ＯＮＵ側でＧＰＳ信号を受信し、時刻情報をＯＬＴ側に提供して、ＯＬＴを介して他の全てのＯＮＵに配信するＰＯＮシステムにおいて、ＰＯＮ区間の上下伝送遅延が非対称である場合であっても、時刻同期の精度を維持することができるＯＬＴ、ＰＯＮシステムおよびプログラムを提供することを目的とする。
【課題を解決するための手段】
【００１１】
（１）上記の目的を達成するために、本発明は、以下のような手段を講じた。すなわち、本発明のＯＬＴは、光ファイバ伝送を実現するＰＯＮ（Passive Optical Network）システムに適用されるＯＬＴ（Optical Line Terminal）であって、ＧＰＳ信号受信装置を有するマスターＯＮＵ（Optical Network Unit）から送信された信号を前記マスターＯＮＵ以外のＯＮＵであるスレイブＯＮＵへ折り返し転送したときの第１のＲＴＴ（Round-Trip Time）と、前記スレイブＯＮＵから送信された信号を前記マスターＯＮＵへ折り返し転送したときの第２のＲＴＴとの差分をＲＴＴ差分として計算する制御部と、前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する帯域割当部と、を備えることを特徴とする。
【００１２】
このように、第１のＲＴＴまたは第２のＲＴＴのうちの小さい方を特定し、小さい方のＲＴＴを測定したときの送信側のＯＮＵに対し、ＲＴＴ差分を送信待ち時間として設定するので、上りと下りの伝送遅延を対称にすることが可能となる。その結果、ＰＯＮシステムにおいて、ＯＬＴを介したループバック制御において、マスターＯＮＵとスレイブＯＮＵ間の上りと下りの伝送遅延が非対称である場合であっても、高い時刻同期精度を維持することが可能となる。また、ＯＬＴ側で動的帯域割当を行なうことによって、上りと下りの伝送遅延を対称化することができるので、ＯＬＴを大規模に改修する必要が無く、既存のＰＯＮシステムに対して、速やかに適用することが可能となる。
【００１３】
（２）また、本発明のＯＬＴは、前記スレイブＯＮＵを初期登録する際に取得した自装置と前記スレイブＯＮＵとの距離を示す情報、固定タイムスロットで伝送された信号の上り遅延時間および下り遅延時間を示す情報を含むテーブルを更に備えることを特徴とする。
【００１４】
このように、テーブルを備えるので、ＯＬＴは、ＲＴＴ差分を算出する際に、自装置とスレイブＯＮＵとの距離を示す情報、固定タイムスロットで伝送された信号の上り遅延時間および下り遅延時間を示す情報を容易に利用することが可能となる。
【００１５】
（３）また、本発明のＯＬＴにおいて、前記制御部は、前記テーブルの上りの遅延時間および下りの遅延時間を示す情報に基づいて、前記第１および第２のＲＴＴ、並びに前記ＲＴＴ差分を算出することを特徴とする。
【００１６】
このように、テーブルの上りの遅延時間および下りの遅延時間を示す情報に基づいて、第１および第２のＲＴＴ、並びにＲＴＴ差分を算出するので、上りと下りの伝送遅延を対称化することが可能となる。
【００１７】
（４）また、本発明のＯＬＴにおいて、前記制御部は、前記テーブルの距離を示す情報、上り伝送で用いられる光の波長および下り伝送で用いられる光の波長に基づいて、前記第１および第２のＲＴＴ、並びに前記ＲＴＴ差分を算出することを特徴とする。
【００１８】
このように、テーブルの距離を示す情報、上り伝送で用いられる光の波長および下り伝送で用いられる光の波長に基づいて、第１および第２のＲＴＴ、並びに前記ＲＴＴ差分を算出するので、上りと下りの光の波長が異なることにより生ずる時間差分を解消し、上りと下りの伝送遅延を対称化することが可能となる。
【００１９】
（５）また、本発明のＰＯＮシステムは、ＯＬＴ（Optical Line Terminal）および複数のＯＮＵ（Optical Network Unit）が、光分岐器を介して接続され、光ファイバ伝送を実現するＰＯＮ（Passive Optical Network）システムであって、前記ＯＬＴは、ＧＰＳ信号受信装置を有するマスターＯＮＵ（Optical Network Unit）から送信された信号を前記マスターＯＮＵ以外のＯＮＵであるスレイブＯＮＵへ折り返し転送したときの第１のＲＴＴ（Round-Trip Time）と、前記スレイブＯＮＵから送信された信号を前記マスターＯＮＵへ折り返し転送したときの第２のＲＴＴとの差分をＲＴＴ差分として計算する制御部と、前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する帯域割当部と、を備え、前記小さい方のＲＴＴを測定したときの送信側のＯＮＵは、前記ＯＬＴから設定された送信待ち時間が経過した後で、信号の送信を行なうことを特徴とする。
【００２０】
このように、第１のＲＴＴまたは第２のＲＴＴのうちの小さい方を特定し、小さい方のＲＴＴを測定したときの送信側のＯＮＵに対し、ＲＴＴ差分を送信待ち時間として設定するので、上りと下りの伝送遅延を対称にすることが可能となる。その結果、ＰＯＮシステムにおいて、ＯＬＴを介したループバック制御において、マスターＯＮＵとスレイブＯＮＵ間の上りと下りの伝送遅延が非対称である場合であっても、高い時刻同期精度を維持することが可能となる。また、ＯＬＴ側で動的帯域割当を行なうことによって、上りと下りの伝送遅延を対称化することができるので、ＯＬＴを大規模に改修する必要が無く、既存のＰＯＮシステムに対して、速やかに適用することが可能となる。
【００２１】
（６）また、本発明のプログラムは、光ファイバ伝送を実現するＰＯＮ（Passive Optical Network）システムに適用されるＯＬＴ（Optical Line Terminal）のプログラムであって、ＧＰＳ信号受信装置を有するマスターＯＮＵ（Optical Network Unit）から送信された信号を前記マスターＯＮＵ以外のＯＮＵであるスレイブＯＮＵへ折り返し転送したときの第１のＲＴＴ（Round-Trip Time）と、前記スレイブＯＮＵから送信された信号を前記マスターＯＮＵへ折り返し転送したときの第２のＲＴＴとの差分をＲＴＴ差分として計算する処理と、前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する処理と、の一連の処理をコンピュータに実行させることを特徴とする。
【００２２】
このように、第１のＲＴＴまたは第２のＲＴＴのうちの小さい方を特定し、小さい方のＲＴＴを測定したときの送信側のＯＮＵに対し、ＲＴＴ差分を送信待ち時間として設定するので、上りと下りの伝送遅延を対称にすることが可能となる。その結果、ＰＯＮシステムにおいて、ＯＬＴを介したループバック制御において、マスターＯＮＵとスレイブＯＮＵ間の上りと下りの伝送遅延が非対称である場合であっても、高い時刻同期精度を維持することが可能となる。また、ＯＬＴ側で動的帯域割当を行なうことによって、上りと下りの伝送遅延を対称化することができるので、ＯＬＴを大規模に改修する必要が無く、既存のＰＯＮシステムに対して、速やかに適用することが可能となる。
【発明の効果】
【００２３】
本発明によれば、上りと下りの伝送遅延を対称にすることが可能となる。その結果、ＰＯＮシステムにおいて、ＯＬＴを介したループバック制御において、マスターＯＮＵとスレイブＯＮＵ間の上りと下りの伝送遅延が非対称である場合であっても、高い時刻同期精度を維持することが可能となる。また、ＯＬＴ側で動的帯域割当を行なうことによって、上りと下りの伝送遅延を対称化することができるので、ＯＬＴを大規模に改修する必要が無く、既存のＰＯＮシステムに対して、速やかに適用することが可能となる。
【図面の簡単な説明】
【００２４】
【図１】時刻配信ＰＯＮシステムの概略構成を示す図である。
【図２】ＩＥＥＥ１５８８ｖ２におけるマスター装置とスレイブ装置との間の時刻同期シーケンスを示す図である。
【図３】ＰＯＮを用いたマスター装置とスレイブ装置との間の時刻同期シーケンスを示す図である。
【図４】第１の実施形態に係るＰＯＮシステムの概略構成を示す図である。
【図５】ＯＬＴ１０が有するテーブルの一例を示す図である。
【図６】第１の実施形態に係る時刻配信ＰＯＮシステムのシーケンスを示す図である。
【発明を実施するための形態】
【００２５】
本発明者らは、ＩＥＥＥ１５８８ｖ２のような時刻同期方式では、マスターとスレイブと間の上下伝送遅延が同じであることを前提として動作するため、伝送遅延が上下非対称であるＰＯＮシステムにＩＥＥＥ１５８８ｖ２を適用した場合、時刻同期精度が劣化してしまうことに着目し、マスターＯＮＵとスレイブＯＮＵとの間の上りと下りの伝送遅延の差分を計算し、伝送遅延が小さい方の送信側のＯＮＵに対し、その差分を送信待ち時間として設定する動的帯域割当（DBA：Dynamic Bandwidth Allocation）を行なうことによって、上りと下りの伝送遅延を対称化することができることを見出し、本発明をするに至った。
【００２６】
すなわち、本発明のＯＬＴは、光ファイバ伝送を実現するＰＯＮ（Passive Optical Network）システムに適用されるＯＬＴ（Optical Line Terminal）であって、ＧＰＳ信号受信装置を有するマスターＯＮＵ（Optical Network Unit）から送信された信号を前記マスターＯＮＵ以外のＯＮＵであるスレイブＯＮＵへ折り返し転送したときの第１のＲＴＴ（Round-Trip Time）と、前記スレイブＯＮＵから送信された信号を前記マスターＯＮＵへ折り返し転送したときの第２のＲＴＴとの差分をＲＴＴ差分として計算する制御部と、前記第１のＲＴＴまたは前記第２のＲＴＴのうちの小さい方を特定し、小さい方のＲＴＴを測定したときの送信側のＯＮＵに対し、前記ＲＴＴ差分を送信待ち時間として設定する帯域割当部と、を備えることを特徴とする。
【００２７】
これにより、本発明者らは、ＰＯＮシステムにおいて、ＯＬＴを介したループバック制御において、マスターＯＮＵとスレイブＯＮＵ間の上りと下りの伝送遅延が非対称である場合であっても、高い時刻同期精度を維持することを可能とした。また、ＯＬＴを大規模に改修する必要が無く、既存のＰＯＮシステムに対して、速やかに適用することを可能とした。以下、本発明の実施形態について、図面を参照しながら具体的に説明する。
【００２８】
まず、ＰＯＮシステムの一般的な説明を行なう。図１は、時刻配信ＰＯＮシステムの概略構成を示す図である。ＯＬＴ１０の配下に、光スプリッタ３０を介して合計ｎ台（nは任意の整数）のＯＮＵ４０−１〜ｎが接続されている。そのうち１台（図１ではＯＮＵ４０−１）には、基準時刻を取得するマスター装置５０が接続されている。
【００２９】
その他のＯＮＵ（図１ではＯＮＵ４０−２〜ｎ）には、マスター装置５０に従属同期するスレイブ装置５２−１〜（ｎ−１）が接続され、マスター装置５０およびスレイブ装置５２−１〜（ｎ−１）の配下には基地局６０−１〜ｎが接続されている。マスター装置５０は、ＧＰＳアンテナ５１を備え、当該ＧＰＳアンテナ５１で受信した時刻情報を、ＯＬＴ１０を介して他のＯＮＵ４０−２〜ｎに分配する。なお、本実施形態では、マスター装置５０が接続されるＯＮＵ４０−１をマスターＯＮＵ、それ以外のＯＮＵ４０−２〜ｎをスレイブＯＮＵと呼称する。
【００３０】
図２は、ＩＥＥＥ１５８８ｖ２におけるマスター装置とスレイブ装置との間の時刻同期シーケンスを示す図である。マスター装置は、時刻ｔ１にＳｙｎｃメッセージをスレイブ装置に向けて送信し、スレイブ装置は、当該Ｓｙｎｃメッセージを時刻ｔ２に受信する。Ｓｙｎｃメッセージには、マスター装置が送信した時刻ｔ１が書き込まれている。次に、スレイブ装置は、時刻ｔ３に“Delay_Requestメッセージ”をマスター装置に向けて送信し、マスター装置は、当該“Delay_Requestメッセージ”を時刻ｔ４に受信する。その後、マスター装置は、“Delay_Responseメッセージ”をスレイブ装置に向けて送信し、マスター装置がスレイブ装置からの“Delay_Requestメッセージ”を受信した時刻ｔ４を通知する。
【００３１】
以上の手順により、スレイブ装置は、時刻ｔ１〜ｔ４を把握し、次式（１）によりマスター装置とスレイブ装置と間の伝送遅延時間（ｄｅｌａｙ）を計測する。
【００３２】
ｄｅｌａｙ＝｛（ｔ２−ｔ２）＋（ｔ４−ｔ３）｝／２…（１）
スレイブ装置は、自装置の時刻に、上式で得られたｄｅｌａｙを補正し、マスター装置との時刻合わせをする。ここで、マスター装置からスレイブ装置への伝送遅延（ｔ２−ｔ１）とスレイブ装置からマスター装置への伝送遅延（ｔ４−ｔ３）は同じであることを前提としている。
【００３３】
図３は、ＰＯＮを用いたマスター装置とスレイブ装置との間の時刻同期シーケンスを示す図である。マスターＯＮＵ４０−１は、ＰＴＰパケットをＯＬＴ１０に向けて送信し、ＰＴＰパケットは、ＯＬＴ１０で折り返し転送され、スレイブＯＮＵ４０−２に到達する。ＰＴＰパケットがマスターＯＮＵ４０−１からスレイブＯＮＵ４０−２に届くまでの伝送遅延をＲＴＴ＿１とする。
【００３４】
一方、スレイブＯＮＵ４０−２は、ＰＴＰパケットをＯＬＴ１０に向けて送信し、ＰＴＰパケットは、ＯＬＴ１０で折り返し転送され、マスターＯＮＵ４０−１に到達する。ＰＴＰパケットがスレイブＯＮＵ４０−２からマスターＯＮＵ４０−１に届くまでの伝送遅延をＲＴＴ＿２とする。ＲＴＴ＿１とＲＴＴ＿２は、ＯＬＴ１０が指示する上り送信開始時刻のずれ、ＯＮＵ毎のバッファリング遅延や光ファイバ接続距離差などにより、同じ値にはならない。
【００３５】
［第１の実施形態］
図４は、第１の実施形態に係るＰＯＮシステムの概略構成を示す図である。ＯＬＴ１０は、ｍ個（mは任意の整数）の光送受信器（TRX）１２−１〜ｍ、ＣＰＵ１４、テーブル１６、およびスイッチ（SW）１８から構成されている。ＣＰＵ１４は、ＯＮＵ４０−１〜ｎの上り送信開始時刻および送信期間をスケジューリングする帯域割当部１５を備える。ＧＰＳアンテナ５１で受信したＧＰＳ信号は、マスター装置５０において時刻情報（例えば、IEEE1588v2のPTPパケットなど）に変換され、ＯＮＵ４０−１は、当該時刻情報を上り光信号に変換して、ＯＬＴ１０に向けて送信する。
【００３６】
ＯＬＴ１０は、ＴＲＸ１２−１で受信した時刻情報をＣＰＵ１４に供給し、ＣＰＵ１４は、当該時刻情報をＳＷ１８に供給する。ＳＷ１８は、時刻情報のみを識別して、ＯＬＴ１０からＯＮＵ４０−１〜ｎに向かう方向へ折り返し転送する。時刻情報以外の上りデータ信号等は、ＳＷ１８で折り返さずに上位ネットワークへ転送される。
【００３７】
ＰＯＮシステムでは、上りと下りの伝送遅延が非対称であるため、これを対称化する必要がある。すなわち、上記ＲＴＴ＿１およびＲＴＴ＿２を対称化するため、ＯＬＴ１０の帯域割当部１５において、上りＰＴＰパケットを、常に固定タイムスロットで送信するように各ＯＮＵに対して指示する。また、ＲＴＴ＿１およびＲＴＴ＿２の差分を計算し、ＲＴＴが小さい方を特定する。そして、小さい方のＲＴＴを測定したときの送信側のＯＮＵに対して、上記差分（ＲＴＴ差分）を、送信待ち時間として設定し、上り送信開始時刻を指示する。
【００３８】
図５は、ＯＬＴ１０が有するテーブルの一例を示す図である。ＯＬＴ１０は、ＯＮＵ４０−１〜ｎを初期登録する際に、各ＯＮＵとの接続距離（Ｄ＿１〜ｎ）、固定タイムスロットで伝送されるＰＴＰパケットの上り遅延（Ｔｕｐ＿１〜ｎ）および下り遅延（Ｔｄｎ＿１〜ｎ）の情報を保持する。
【００３９】
図６は、第１の実施形態に係る時刻配信ＰＯＮシステムのシーケンスを示す図である。ＯＬＴ１０は、図５に示したテーブルに記録されている情報に基づいて、マスター装置からスレイブ装置までの伝送遅延ＲＴＴ＿１と、スレイブ装置からマスター装置までの伝送遅延ＲＴＴ＿２とを計算する。例えば、図６に示すように、マスターＯＮＵ４０−１とスレイブＯＮＵ４０−２を例にとると、ＲＴＴ＿１はＴｕｐ＿１＋Ｔｄｎ＿１、ＲＴＴ＿２はＴｕｐ＿２＋Ｔｄｎ＿２で計算され、ＲＴＴ＿１とＲＴＴ＿２の差（ΔＲＴＴ）が得られる。
【００４０】
ＲＴＴ＿１とＲＴＴ＿２の小さい方を特定し、小さい方のＲＴＴを測定したときの送信側のＯＮＵ（図６の例ではマスタＯＮＵ４０−１）に対して、上りＰＴＰパケットの送信を開始する時刻を、ΔＲＴＴの待ち時間の分だけ遅くなるように、動的帯域割当を行なう。このように、送信開始時刻を意図的に遅らせることによって、ＲＴＴ＿１とＲＴＴ＿２を見かけ上、同じ値にすることができる。
【００４１】
このように、ＯＬＴ１０が、ＲＴＴの小さいＯＮＵに対して、待ち時間を含めて上り送信開始時刻を指示することによって、上りと下りの伝送遅延を対称化することが可能となる。
【００４２】
なお、ＯＬＴ１０のＳＷ１８におけるバッファリング遅延も時刻ずれを引き起こす可能性があるが、本実施形態では、ＳＷ１８のバッファリング遅延は無視可能なものとしている。例えば、ＳＷ１８において、ＰＴＰパケットを常に一定のバッファリング遅延量となるように制御するか、ＰＴＰパケットを他のデータ信号の処理状況に依らず、常に再優先で転送制御することなどにより、ＳＷ１８のバッファリング遅延の揺らぎを抑えることができる。
【００４３】
［第２の実施形態］
ＰＯＮシステムでは、一般に、上り伝送に用いられる光の波長と、下り伝送に用いられる光の波長とは、異なっている。このことから、第２の実施形態では、上りと下りの波長の違いにより生じる時刻差分も考慮に入れて、上りと下りの伝送遅延を対称化する。
【００４４】
ＰＯＮシステムにおける上り波長の光ファイバ内の屈折率をｎ＿ｕｐ、下り波長の屈折率をｎ＿ｄｎとすると、光ファイバ内の上り速度（Ｃ＿ｕｐ）及び下り速度（Ｃ＿ｄｎ）は、それぞれ、Ｃ＿ｕｐ＝Ｃ／ｎ＿ｕｐ、Ｃ＿ｄｎ＝Ｃ／ｎ＿ｄｎで表される。ただし、Ｃは真空中の光速である。
【００４５】
図５に示したテーブルから距離情報を参照して、ＲＴＴ＿１及びＲＴＴ＿２を計算すると、それぞれ式（２）および式（３）が得られる。
【００４６】
【数１】
0006425568.tif 000002
上式（２）及び（３）を用いると、ΔＲＴＴは式（４）で表される。
【００４７】
【数２】
0006425568.tif 000003
屈折率ｎ＿ｕｐおよびｎ＿ｄｎは、ＰＯＮシステムの使用波長が与えられれば、一意に決定されるので、必要なパラメータは距離情報Ｄ＿１及びＤ＿２のみとなる。以上により、上りの波長と下りの波長との相違により生じる時刻差分も考慮して、上りと下りの伝送遅延を対称化することが可能となる。
【００４８】
以上説明したように、本実施形態によれば、ＯＬＴを介したループバック制御において、マスター装置とスレイブ装置との間の上りと下りの伝送遅延が非対称である場合であっても、高い時刻同期精度を維持することが可能となる。
【符号の説明】
【００４９】
１０  局側光終端装置（ＯＬＴ）
１２−１〜ｍ  光送受信器（ＴＲＸ）
１４  ＣＰＵ
１５  帯域割当部
１６  テーブル
１８  スイッチ（ＳＷ）
３０  光スプリッタ（光分岐器）
４０−１〜ｎ  加入者側光終端装置（ＯＮＵ）
５０  マスター装置
５１  ＧＰＳアンテナ
５２−１〜（ｎ−１）  スレイブ装置
６０−１〜ｎ  基地局
【図１】
0006425568.tif 000004
【図２】
0006425568.tif 000005
【図３】
0006425568.tif 000006
【図４】
0006425568.tif 000007
【図５】
0006425568.tif 000008
【図６】
0006425568.tif 000009